(57)【特許請求の範囲】
【請求項１】
フラッシュランプを閃光させるフラッシュ電源部を有し、当該閃光の発光エネルギーにより現像剤を用紙に定着するフラッシュ定着装置であって、前記フラッシュ電源部は、発光期間中、フラッシュランプに流れる放電電流がほぼ平坦となるように給電し、前記現像剤を表面から徐々に加熱することを特徴とするフラッシュ定着装置。
【請求項２】
前記フラッシュ電源部は、
直流電圧を出力する直流電源と、
１回の発光に要する発光エネルギーより十分に大きな静電エネルギーを蓄積可能な容量を有し、フラッシュランプの定電流領域で静電エネルギーを供給できるように前記直流電源の出力により充電されるコンデンサと、
前記フラッシュランプとコンデンサとの間の放電経路に配設され、フラッシュランプにコンデンサを接続した状態と、フラッシュランプからコンデンサを切り離した状態とにスイッチング態様を切り換える接離切換手段と、を含み、
前記フラッシュランプ発光停止の際にはフラッシュランプからコンデンサを切り離すように接離切換手段を制御するフラッシュ電源制御部をさらに備えることを特徴とする請求項１に記載のフラッシュ定着装置。
【請求項３】
前記フラッシュ電源制御部は、前記発光開始時からの時間を計測するタイマーを有し、
前記タイマーが計測する時間に基づいて、発光期間中におけるフラッシュランプの発光エネルギーを管理することを特徴とする請求項２に記載のフラッシュ定着装置。
【請求項４】
前記フラッシュ電源制御部は、前記コンデンサの充電電圧を検出する電圧検出手段を有し、当該電圧検出手段の検出結果に基づいて、発光期間中におけるフラッシュランプの発光エネルギーを管理することを特徴とする請求項２に記載のフラッシュ定着装置。
【請求項５】
前記フラッシュ電源制御部は、前記コンデンサの充電電圧を検出する電圧検出手段と、前記発光開始時からの時間を計測するタイマーと、フラッシュランプの発光状態を確認する発光確認手段とを有し、
発光確認手段は、前記タイマーが発光終了後の所定時間計測時に、前記電圧検出手段の検出結果に基づいて、発光期間中におけるフラッシュランプの発光エネルギーが正常であるか否かを確認することを特徴とする請求項２に記載のフラッシュ定着装置。
【請求項６】
前記フラッシュ電源制御部は、さらに、前記発光確認手段が発光期間中におけるフラッシュランプの発光エネルギーが正常でないと確認した場合、この確認をユーザに通知する通知手段を備えることを特徴とする請求項５に記載のフラッシュ定着装置。
【請求項７】
前記フラッシュ電源制御部は、発光期間の間この期間よりも短い周期で接離手段をスイッチング態様を切換制御することを特徴とする請求項２ないし６のいずれかに記載のフラッシュ定着装置。
【請求項８】
前記現像剤がトナーであることを特徴とする請求項１ないし７のいずれかに記載のフラッシュ定着装置。
【請求項９】
前記トナーは、赤外線吸収剤を含有することを特徴とする請求項８に記載のフラッシュ定着装置。
【請求項１０】
前記フラッシュ電源制御手段は、前記トナーの属性に基づいて発光期間中におけるフラッシュランプの発光エネルギーを決定することを特徴とする請求項８に記載のフラッシュ定着装置。
【請求項１１】
前記属性は、赤外線吸収率であることを特徴とする請求項１０に記載のフラッシュ定着装置。
【請求項１２】
前記属性は、付着量であることを特徴とする請求項１０に記載のフラッシュ定着装置。
【請求項１３】
前記属性は、色であることを特徴とする請求項１０に記載のフラッシュ定着装置。
【請求項１４】
前記フラッシュランプの発光により所定の速度で搬送される用紙上のトナーを用紙搬送方向に所定の定着幅ずつ所定の発光周期ごとに用紙に定着させ、その定着条件が互いに異なる第１および第２の定着制御手段と、
トナーの属性の違いに応じて第１および第２の定着制御手段を切り換える切換制御手段とを備えることを特徴とする請求項１に記載のフラッシュ定着装置。
【請求項１５】
前記第１および第２の定着制御手段は、フラッシュランプに流れる放電電流が、発光期間中、ほぼ平坦となるように給電制御することを特徴とする請求項１４に記載のフラッシュ定着装置。
【請求項１６】
前記属性は、色であることを特徴とする請求項１４または１５に記載のフラッシュ定着装置。
【請求項１７】
前記条件は、発光期間中におけるフラッシュランプの発光エネルギーであることを特徴とする請求項１４ないし１６のいずれかに記載のフラッシュ定着装置。
【請求項１８】
前記条件は、前記定着幅および発光周期であることを特徴とする請求項１４ないし１６のいずれかに記載のフラッシュ定着装置。
【発明の詳細な説明】
【０００１】
【発明の属する技術分野】
本発明は、レーザプリンタなどの電子写真方式画像形成装置に用いられるフラッシュ定着装置に関し、特にフラッシュランプへの給電技術に関する。
【０００２】
【従来の技術】
レーザプリンタなどの電子写真方式の画像形成装置では、静電潜像を現像剤（トナー）で顕像化し、トナーを用紙上に転写した後、定着装置により当該トナーを定着させるようになっている。この定着装置として熱ローラを用いたものがあるが、ウォームアップが遅い等の欠点がある。このため、フラッシュランプを瞬間的に発光（閃光）させ、この閃光、特に赤外光の発光エネルギーにより着色剤や結着剤などを含有するトナーを溶融し、定着させるフラッシュ定着装置が近年注目されている。
【０００３】
図１６は、従来のフラッシュ定着装置の回路構成を示すブロック図である。
同図に示すようにフラッシュ定着装置は、キセノンガスを封入したフラッシュランプ２００と、フラッシュランプ２００に給電するフラッシュ電源部３００と、フラッシュ電源部３００を制御するフラッシュ電源制御部５００とを備えている。フラッシュ電源部３００は、ＡＣ−ＤＣコンバータ３１０や、逆流防止用のダイオード３２０、２００μＦ程度の静電容量を有する給電用のフィルムコンデンサ３３０、トリガー回路３４０、放電電流抑制用のチョークコイル３５０からなる。
【０００４】
ＡＣ−ＤＣコンバータ３１０は、フラッシュ電源制御部５００の充電指示に応じて、電源スイッチ９００を介して商用交流電源８００から供給される交流電圧を２０００Ｖ程度の直流電圧に変換し、ダイオード３２０を介してフィルムコンデンサ３３０を充電する。フィルムコンデンサ３３０の端子間電圧が充電完了電圧２０００Ｖに達すると、フラッシュ電源制御部５００は、ＡＣ−ＤＣコンバータ３１０に指示してフィルムコンデンサ３３０の充電を停止させる。この充電停止時、フィルムコンデンサ３３０には、用紙上のトナーを所定の定着幅分溶融させるのに必要な静電エネルギー（（０．０００２×２０００2 ）／２＝４００［Ｊ］）が蓄積されており、フラッシュランプ２００の主電極間にはチョークコイル３５０を介してフィルムコンデンサ３３０の充電完了電圧２０００Ｖが印加されている。この２０００Ｖの充電完了電圧は、フラッシュランプ２００の放電を開始させるのに必要な最低の電圧（発光開始電圧（例えば、１２００〜１５００Ｖ））を上回る値に設定されている。
【０００５】
その後、フラッシュ電源制御部５００は、所定のタイミングでトリガー回路３４０にフラッシュランプ２００の発光を指示する。トリガー回路３４０は、図示しないトリガー信号発生用のコンデンサを有し、発光指示により、コンデンサの電荷を放電することによりトリガー信号をフラッシュランプ２００のトリガー電極に印加する。フラッシュランプ２００は、充電完了電圧２０００Ｖが印加された状態でトリガー信号が印加されると、フィルムコンデンサ３３０に蓄積された静電エネルギーがなくなるまでアーク放電により放電電流を流し、数百μ〜１ミリ秒の短時間の間、閃光する。
【０００６】
図１７は、上記閃光の際におけるフラッシュランプの放電電流の時間変化を示す図である。
同図に示すように、放電電流は、１ｍｓｅｃ程度の発光期間の初期から終期にかけて低下する。すなわち、発光期間の初期の段階（δ１参照）においては、放電電流はトリガー信号と同タイミングのピーク値３００Ａから１３０Ａまで変化する。そして、放電電流は、僅かな期間（δ２参照）だけ１３０Ａ程度の一定値となった後、発光期間の終期の段階（δ３参照）で再度１３０Ａから０Ａまで低下する。
【０００７】
このようなフラッシュランプ２００の閃光が一定周期で行われ、発光エネルギーにより用紙上のトナーが所定の定着幅ずつ溶融して定着される。
【０００８】
【発明が解決しようとする課題】
しかしながら、従来のフラッシュ電源装置では、次のような問題があった。
すなわち、従来のフラッシュ定着装置では、チョークコイル３５０によりフラッシュランプに流れる放電電流を抑制することにより発光期間を１ｍｓｅｃ程度まで引き延ばすようにしているものの、リンギングの発生などにより放電電流をこれ以上抑制するのが困難である。このため、放電電流が発光期間の初期の段階（図１７のδ１参照）において、３００Ａから１３０Ａまで大きな値で急激に変化し、コンデンサ３３０に蓄積された静電エネルギーの大半（約８３％程度）を消費してしまう。この結果、発光期間の初期の段階におけるフラッシュランプ２００の発光エネルギーが極めて大きくなる。フラッシュランプ２００の発光エネルギーは、黒トナーではトナー粒子表面付近に存在するカーボンブラックなどの着色剤で吸収され、その着色剤の加熱と、この熱を粒子表面から内部へ伝達しつつ昇温させることとに費やされるのが望まれるが、発光期間の初期の段階（δ１参照）での発光エネルギーが上記のように極めて大きいと、着色剤の加熱速度と粒子内部への熱伝達速度とのバランスが大幅に崩れ、トナー表面だけが局部的に昇華温度まで昇温してしまい、瞬時に煙となって昇華する。したがって、従来のフラッシュ定着装置では、トナーのロスが多く、昇華の際に生じる騒音が大きく、不快な臭気が発生するという第１の問題があった。
【０００９】
また、カラートナーでは、着色剤の赤外線吸収率が極めて低いため、波長８００〜１１００ｎｍに光吸収ピークを有するシアニン化合物などの高価な赤外線吸収剤を含有させるようにしている。しかしながら、赤外線吸収剤の含有率が３〜５重量％程度であると、トナーのコストアップが避けられない。さらに、このカラートナーを１ｍｓｅｃ程度の短い発光期間で定着するためには、充電完了電圧をさらに上昇させて発光エネルギーを数倍に増加させる必要がある。このように発光エネルギーを増加させた状態で、フラッシュランプ２００を閃光させると、発光期間が１ｍｓｅｃ程度のままで、発光期間の初期の段階の放電電流だけか２０００Ｖの場合よりさらに大きくなる。このため、カラートナーと黒トナーとが重ね合わされているような場合に両トナーを同時に定着しようとすると、黒トナーにとっては上記より更に過大な発光エネルギーとなり、黒トナーの昇華がさらにひどくなって、画像抜けや、昇華痕などによる画像カブリが発生する。したがって、現像コストがアップするとともに、しかもカラートナーと黒トナーを同時に定着することができないという第２の問題点があった。
【００１０】
この第２の問題点を解決するために、赤外線吸収剤の含有率を５〜１０重量％に高めることにより黒トナーと同じ発光エネルギーで定着することが考えられるが、そうすると、トナーがさらにコストアップするとともに、赤外線吸収剤によりカラートナーの色が濁ってしまうという別の問題が発生する。
本発明は、上述の問題点に鑑みてなされたものであり、現像剤の昇華を抑制したフラッシュ定着装置を提供することを第１の目的とする。
【００１１】
カラー現像剤のコストアップを抑制しつつ、同時定着性を向上させたフラッシュ定着装置を提供することを第２の目的とする。
【００１２】
【課題を解決するための手段】
上記第１の問題点を解決するために、本発明に係るフラッシュ定着装置は、フラッシュランプを閃光させるフラッシュ電源部を有し、当該閃光の発光エネルギーにより現像剤を用紙に定着するフラッシュ定着装置であって、前記フラッシュ電源部は、発光期間中、フラッシュランプに流れる放電電流がほぼ平坦となるように給電し、前記現像剤を表面から徐々に加熱することを特徴とする。
【００１３】
また、本発明に係るフラッシュ定着装置は、前記フラッシュ電源部は、直流電圧を出力する直流電源と、１回の発光に要する発光エネルギーより十分に大きな静電エネルギーを蓄積可能な容量を有し、フラッシュランプの定電流領域で静電エネルギーを供給できるように前記直流電源の出力により充電されるコンデンサと、前記フラッシュランプとコンデンサとの間の放電経路に配設され、フラッシュランプにコンデンサを接続した状態と、フラッシュランプからコンデンサを切り離した状態とにスイッチング態様を切り換える接離切換手段と、を含み、前記フラッシュランプ発光停止の際にはフラッシュランプからコンデンサを切り離すように接離切換手段を制御するフラッシュ電源制御部をさらに備えることを特徴とする。
【００１４】
また、本発明に係るフラッシュ定着装置は、前記フラッシュ電源制御部は、前記発光開始時からの時間を計測するタイマーを有し、前記タイマーが計測する時間に基づいて、発光期間中におけるフラッシュランプの発光エネルギーを管理することを特徴とする。
また、本発明に係るフラッシュ定着装置は、前記フラッシュ電源制御部は、前記コンデンサの充電電圧を検出する電圧検出手段を有し、当該電圧検出手段の検出結果に基づいて、発光期間中におけるフラッシュランプの発光エネルギーを管理することを特徴とする。
【００１５】
また、本発明に係るフラッシュ定着装置は、前記フラッシュ電源制御部は、前記コンデンサの充電電圧を検出する電圧検出手段と、前記発光開始時からの時間を計測するタイマーと、フラッシュランプの発光状態を確認する発光確認手段とを有し、発光確認手段は、前記タイマーが発光終了後の所定時間計測時に、前記電圧検出手段の検出結果に基づいて、発光期間中におけるフラッシュランプの発光エネルギーが正常であるか否かを確認することを特徴とする。
【００１６】
また、本発明に係るフラッシュ定着装置は、前記フラッシュ電源制御部は、さらに、前記発光確認手段が発光期間中におけるフラッシュランプの発光エネルギーが正常でないと確認した場合、この確認をユーザに通知する通知手段を備えることを特徴とする。
また、本発明に係るフラッシュ定着装置は、前記フラッシュ電源制御部が、発光期間の間この期間よりも短い周期で接離手段をスイッチング態様を切換制御することを特徴とする。
【００１７】
また、本発明に係るフラッシュ定着装置は、前記現像剤がトナーであることを特徴とする。
また、本発明に係るフラッシュ定着装置は、前記トナーが、赤外線吸収剤を含有することを特徴とする。
また、本発明に係るフラッシュ定着装置は、前記フラッシュ電源制御手段が、前記トナーの属性に基づいて発光期間中におけるフラッシュランプの発光エネルギーを決定することを特徴とする。
【００１８】
また、本発明に係るフラッシュ定着装置は、前記属性が、赤外線吸収率であることを特徴とする。
また、本発明に係るフラッシュ定着装置は、前記属性が、付着量であることを特徴とする。
また、本発明に係るフラッシュ定着装置は、前記属性が、色であることを特徴とする。
【００１９】
さらに、前記フラッシュランプの発光により所定の速度で搬送される用紙上のトナーを用紙搬送方向に所定の定着幅ずつ所定の発光周期ごとに用紙に定着させ、その定着条件が互いに異なる第１および第２の定着制御手段と、トナーの属性の違いに応じて第１および第２の定着制御手段を切り換える切換制御手段とを備えることを特徴とする。
【００２０】
また、本発明に係るフラッシュ定着装置は、前記第１および第２の定着制御手段は、フラッシュランプに流れる放電電流が、発光期間中、ほぼ平坦となるように給電制御することを特徴とする。
また、本発明に係るフラッシュ定着装置は、前記属性が、色であることを特徴とする。
【００２１】
また、本発明に係るフラッシュ定着装置は、前記条件が、発光期間中におけるフラッシュランプの発光エネルギーであることを特徴とする。
さらに、本発明に係るフラッシュ定着装置は、前記条件が、前記定着幅および発光周期であることを特徴とする。
【００２２】
【発明の実施の形態】
以下、本発明の実施の形態に係るフラッシュ定着装置を、レーザプリンタにおけるフラッシュ定着装置を例にして説明する。
（実施の形態１）
図１は、レーザプリンタ（以下、単に「プリンタ」と記す。）のフラッシュ定着装置１およびこの付近の構成を示す図である。
【００２３】
プリンタは、用紙Ｓ上に画像をトナーＴＮで再現する画像形成部１０と、フラッシュ定着装置１とを備える。
画像形成部１０は、いわゆる電子写真方式でトナー画像を形成するもので、所定の角速度で回転駆動される図示しない感光体ドラムと、感光体ドラム表面を画像データにより光変調されたレーザビームで露光走査する走査部と、感光体ドラム周囲に配設されるクリーナーや、イレーサランプ、帯電チャージャー、現像器、転写チャージャーなどからなる。
【００２４】
感光体ドラムは、レーザービームによる露光走査を受ける前にクリーナーで残留トナーを除去され、さらにイレーサランプで照射されて除電された後、帯電チャージャーにより一様に帯電されており、このような一様に帯電した状態でレーザビームの露光を受けると、感光体ドラム表面に静電潜像が形成される。この静電潜像は、現像器から黒トナーや、青、緑、赤などのカラートナーの供給を受けて顕像化される。
【００２５】
ここで、黒トナー、カラートナーの両トナーとも、ポリエステル樹脂などの結着剤を主体としており、これに着色剤などを含有して構成されている。しかしながら、黒トナーの場合には着色剤の赤外線吸収率がよいのに対して、カラートナーの場合には着色剤の赤外線吸収率がほぼ「０」である。このため、カラートナーは、波長８００〜１１００ｎｍの波長に吸収ピークを有するシアニン化合物などの赤外線吸収剤を含有して構成されている。この赤外線吸収剤の含有率は、１〜２重量％程度に抑制されている。これにより、カラートナーのコストアップと、その色の濁りとを防止している。
【００２６】
上記作像動作と同期して感光体ドラムと転写チャージャーとの間の転写位置に、所定サイズ（例えば、Ａ３横置き）の用紙Ｓが所定のシステムスピード（例えば、１００ｍｍ／秒）で搬送されてきており、この転写位置において転写チャージャーの電荷によりトナーＴＮが用紙Ｓ上に転写される。なお、このシステムスピードは、図示しない用紙搬送ローラの回転軸に取着されたロータリーエンコーダにより検出されており、用紙搬送パルスとしてロータリーエンコーダから画像形成部１０およびフラッシュ定着装置１に送られている。
【００２７】
用紙Ｓに転写されたトナーＴＮは、触れるとすぐに剥がれる不安定な状態であるので、フラッシュ定着装置１に上記システムスピードで搬送されながらここでフラッシュ定着される。
フラッシュ定着装置１は、フラッシュランプ２と、フラッシュランプ２の直下を解放し、このフラッシュランプ２を略逆Ｕ字状に外囲する反射笠３と、リニア・ステッピング・アクチュエータ７と、フラッシュランプ２の直下に配設される防塵ガラス６と、発光時にフラッシュランプ２に給電するフラッシュ電源部４Ａと、上記フラッシュ電源部４Ａ、リニア・ステッピング・アクチュエータ７を統括的に制御するフラッシュ電源制御部５Ａとを備え、フラッシュランプ２を所定の周期ごとに発光させ、その発光エネルギーにより上記システムスピードでガイド板６０上に搬送されてくる用紙Ｓ上のトナーＴＮを用紙搬送方向先端から順に溶融して定着させる。
【００２８】
フラッシュランプ２は、ガラス管にＸｅガス等を封入し、ガラス管両端に主電極２１，２２（図２参照）を、管壁にトリガー電極２３（図２参照）を備えた放電灯であって、フラッシュ電源部４Ａから主電極２１，２２間に所定の電圧が印加された状態でトリガー電極２３にトリガー電圧が印加されると、管内の絶縁が破れて一気に主電極２１，２２間の主放電を開始し、所定の期間、赤外線領域においてスペクトルの強い閃光を発する。なお、本実施の形態では、主電極２１，２２間のギャップ長が用紙幅（４２０ｍｍ）以上の５００ｍｍで、放電開始電圧が１５００Ｖ、定電流特性を示す最大印加電圧が８４０Ｖ程度、最低印加電圧が６００Ｖ程度であるフラッシュランプ２が使用されている。このフラッシュランプ２の主電極２１，２２には、フラッシュ電源部４Ａにより放電開始時のみ放電開始電圧を上回る電圧（例えば、１６００Ｖ）が印加され、放電開始後直ちに最大印加電圧８４０と最低印加電圧６００Ｖとの間の電圧８００Ｖが印加され、発光期間中定電流領域で駆動され、この発光期間中の発光エネルギーはフラッシュ電源制御部５Ａにより制御されるようになっている。このフラッシュ電源部４Ａ、フラッシュ電源制御部５Ａの詳細は後述する。
【００２９】
反射笠３は、フラッシュランプ２の閃光をフラッシュランプ２直下の所定の定着幅の範囲にほぼ均一に配光するものであって、フラッシュランプ２の半周背面を外囲する複数（図示６枚）の固定反射鏡３０〜３５と、両端の固定反射鏡３０，３５の最下端にそれぞれ設けられる一対のヒンジ３６，３７と、このヒンジ３６，３７回りに回動可能に取着された一対の回動反射鏡３８，３９とを備える。回動反射鏡３９は、図示しないバネにより、フラッシュランプ２から離反する方向に付勢されている。また、回動反射鏡３８，３９は、互いに反対方向に回動するよう図示しないリンク機構で連結されている。
【００３０】
リニア・ステッピング・アクチュエータ７は、回動反射鏡３９と当接する腕７１を有し、フラッシュ電源制御部５Ａから送られる定着幅情報に応じた分、その腕７１を直線的に進退させて、回動反射鏡３９を回動する。したがって、例えば、腕７１を前進させると、回動反射鏡３９が時計回りに回動されるとともに、回動反射鏡３８がリンク機構を介して反時計回りに回動され、回動反射鏡３８，３９の下端が相互に近接する。これにより、閃光が照射される用紙Ｓの走行方向の幅（定着幅）がＷＲ（例えば、ＷＲ＝２５ｍｍ）に狭められる（図１中の点線参照）。これに対して、腕７１を後退させると、上記と逆に回動反射鏡３８，３９の下端が相互に離反する。これにより、定着幅がＷＫ（例えば、ＷＫ＝５０ｍｍ）に広げられる（図１中の実線参照）。なお、閃光が照射される用紙Ｓの走行方向と直交する方向の幅は、Ａ３横の用紙Ｓにあわせて４２０ｍｍに設定されている。
【００３１】
ここで、黒トナーは、その定着に単位面積当たりの発光エネルギーが１．９Ｊ／ｃｍ2  程度必要とするのものが用いられている。この場合には、用紙Ｓ上の定着幅ＷＫ＝５０ｍｍの範囲の黒トナーを定着するために、フラッシュランプ２の１回の発光中に必要な発光エネルギーはほぼ４００Ｊ（４００≒１．９×５×４２）必要となる。これに対して、カラートナーでは赤外性含有率の低いものが用いられているので、単位面積当たりの発光エネルギーは、青トナーでは２．２８Ｊ／ｃｍ2  、緑トナーでは２．４７Ｊ／ｃｍ2  、赤トナーでは３．８Ｊ／ｃｍ2  程度それぞれ必要とする。したがって、この実施の形態１では、黒トナーを定着する場合には定着幅ＷＫ＝５０ｍｍとする一方、カラートナーを定着する場合には定着幅ＷＲ＝２５ｍｍとするとともに、フラッシュランプ２の発光エネルギーを黒トナーの場合と同じとし、この発光エネルギーを幅狭の定着幅ＷＲ＝２５ｍｍの範囲に集中させることにより、単位面積当たりのエネルギー密度を２倍に上げるようになっている。
【００３２】
なお、青トナー、緑トナーの場合にも定着幅を変更することが好ましいが、定着幅ＷＲ＝２５ｍｍにして赤トナーと同じ３．８Ｊ／ｃｍ2  で定着しても昇華等の問題を生じなかった。このため本実施の形態１では、緑トナー、青トナー、赤トナーのいずれかが含まれている場合には、定着幅ＷＲを一律に２５ｍｍに設定するようになっている。
【００３３】
また、用紙Ｓがシステムスピード１００ｍｍ／秒でフラッシュ定着装置１に搬送されてくるので、黒トナーを定着する場合には定着幅ＷＫ＝５０ｍｍにあわせて０．５秒ごとの周期（周波数では２Ｈｚ）で、カラートナーを定着する場合には定着幅ＷＲ＝２５ｍｍにあわせて０．２５秒ごとの周期（周波数では４Ｈｚ）で、フラッシュランプ２を発光させるようになっている。この定着幅および発光周期は、フラッシュ電源制御部５Ａにより制御される。
【００３４】
このようなフラッシュランプ２の発光による光エネルギーが照射されると、用紙Ｓ表面に付着したトナーＴＮが、発光エネルギーで定着幅分溶融してしっかりと用紙Ｓの繊維間に入り込み定着する。こうしてトナーＴＮが定着した用紙Ｓは、ガイド板６に沿って排紙ローラ７０に送られ、図示しない排紙トレイ上に排出される。
【００３５】
次に、図２により、上記フラッシュランプ２に給電するフラッシュ電源部４Ａ、このフラッシュ電源部４Ａ、リニア・ステッピング・アクチュエータ７を制御するフラッシュ電源制御部５Ａの構成を説明する。
図２は、上記フラッシュ電源部４Ａ、フラッシュ電源制御部５Ａおよびこの付近の回路構成を示すブロック図である。
【００３６】
フラッシュ電源部４Ａは、大略的にブリッジダイオード４０５、ＤＣ−ＤＣコンバータ４１０、ダイオード４２０、メインバンクコンデンサ４３０、トリガー回路４４０、ＩＧＢＴ（Ｉｎｓｕｌａｔｅｄ  Ｇａｔｅ  Ｂｉｐｏｌａｒ  Ｔｒａｎｓｉｓｔｏｒ）４５０などからなる。
ブリッジダイオード４０５は、電源スイッチ９を介して供給される商用交流電源８からの交流（例えば２００Ｖ、１５Ａ）を整流する。
【００３７】
なお、電源スイッチ９とブリッジダイオード４０５との間の給電経路には、高抵抗値を有する突入電流抑制抵抗４０１と、これに並列に接続されるリレースイッチ４０２とからなる突入電流防止回路４０３が設けられている。この突入電流防止回路４０３は、メインバンクコンデンサ４３０に電荷がある程度たまるまではブリッジダイオード４０５や、ＤＣ−ＤＣコンバータ４１０に規定値以上の突入電流が流れるのを防止するためのものであって、そのため所定期間はリレースイッチ４０２をオフ状態とし、突入電流抑制抵抗４０１により既定値以上の電流が流れないように制限をかけ、電荷がある程度たまって既定値以上の電流が流れなくなるとリレースイッチ４０２をオン状態とするようになっている。なお、このリレースイッチ４０２は、フラッシュ電源制御部５Ａによりオン・オフ制御されるようになっている。
【００３８】
また、商用交流電源８とブリッジダイオード４０５との間の給電経路にリレースイッチ４０４が設けられおり、これにより電源スイッチ９がオフされなくても商用交流電源８からの給電を自動的に停止するようになっている。このリレースイッチ４０４も、フラッシュ電源制御部５Ａによりオンオフ制御されるようになっている。
【００３９】
ＤＣ−ＤＣコンバータ４１０は、例えば、ブリッジダイオード４０５から出力される整流電流と整流電圧との位相差をほぼ「０」とした力率改善型のスイッチング電源であって、フラッシュ電源制御部５Ａの充電指示に基づいて、整流電流のスイッチング動作を実行することにより所定の直流電圧（例えば８００Ｖ）に変換し、この電圧８００Ｖをダイオード４２０を介してメインバンクコンデンサ４３０に印加し、メインバンクコンデンサ４３０を充電完了電圧Ｖｃｓ＝８００Ｖまで充電する。また、ＤＣ−ＤＣコンバータ４１０は、フラッシュ電源制御部５Ａの充電停止指示に基づいて、メインバンクコンデンサ４３０への充電を停止する。
【００４０】
ダイオード４２０は、メインバンクコンデンサ４３０に充電された電荷がＤＣ−ＤＣコンバータ４１０側に逆流するのを防止する。
メインバンクコンデンサ４３０は、耐圧４５０Ｖ程度の電解コンデンサを２つ直列に接続されてなり、従来（２００μＦ）より比較的大きな合成容量Ｃ（例えば、Ｃ＝６２５０μＦ）を有し、フラッシュランプ２の１回の発光中に必要な発光エネルギー（例えば、４００Ｊ）より十分に大きな静電エネルギー（Ｅ＝（Ｃ・Ｖｃｓ2  ）／２＝２０００Ｊ）を蓄積する。
【００４１】
なお、メインバンクコンデンサ４３０に静電エネルギーを蓄積しておくのは、次の理由による。フラッシュランプ２の１回の発光に必要な発光エネルギーをＤＣ−ＤＣコンバータ４１０から直接供給しようとすると、商用交流電源８の給電容量に限界があるので、ＤＣ−ＤＣコンバータ４１０の給電が追いつかなくなる。そこで、メインバンクコンデンサ４３０に静電エネルギーを予め蓄積しておいて、このメインバンクコンデンサ４３０からフラッシュランプ２の１回の発光に必要な発光エネルギーを供給することとしたものである。
【００４２】
また、メインバンクコンデンサ４３０にフラッシュランプ２の１回の発光に必要な発光エネルギーより十分に大きな静電エネルギーを蓄積することとしたのは、次の理由による。
フラッシュランプ２に１回の発光に必要な発光エネルギーを供給しても、メインバンクコンデンサ４３０にはまだ十分に大きな静電エネルギーが蓄積されているので、その端子間電圧Ｖｃの低下も僅かである。
【００４３】
ここで、発光エネルギーをＥ、メインバンクコンデンサ４３０の容量をＣ、充電完了時におけるメインバンクコンデンサ４３０の端子間電圧（「充電完了電圧」ともいう。）をＶｃｓ、フラッシュランプ２の放電停止時におけるメインバンクコンデンサ４３０の端子間電圧（「放電停止電圧」あるいは「充電開始電圧」ともいう。）をＶｃｅとすると、これらの間には（１）式の関係がある。
【００４４】
Ｅ＝｛Ｃ・（Ｖｃｓ2  −Ｖｃｅ2  ）｝／２                        …（１）
この（１）式にＥ＝４００［Ｊ］、Ｃ＝０．００６２５［Ｆ］、Ｖｃｓ＝８００［Ｖ］を代入して放電停止電圧Ｖｃｅを実際に求めると、Ｖｃｅ≒７１６［Ｖ］となる。したがって、端子間電圧の低下は８４Ｖとなる。このような充電完了電圧Ｖｃｓ＝８００Ｖおよび放電停止電圧Ｖｃｅ≒７１６Ｖは、フラッシュランプ２のインピーダンスが一定で放電電流（約１２０Ａ）も一定となる定電流領域の範囲内に該当する。したがって、フラッシュランプ２の発光期間中にわたり放電電流を１２０Ａのほほ一定に平坦化することができるからである。また、上記のように電圧変動が少ないと、高価なフィルムコンデンサを使わなくても、安価な電解コンデンサを使用できるからである。
【００４５】
なお、メインバンクコンデンサ４３０の両端間には、高抵抗値を有する分圧抵抗４６１，４６２からなる電圧検出回路４６０が設けられており、この電圧検出回路４６０でメインバンクコンデンサ４３０の端子間電圧Ｖｃを検出するようになっている。
また、メインバンクコンデンサ４３０には、サーミスタなどの温度検出器４８０が取着されている。
【００４６】
さらに、メインバンクコンデンサ４３０の両端間には、高抵抗値を有する抵抗４７１と、通常オフ状態のリレースイッチ４７２とからなるチャージ抜き回路４７０が設けられており、電源スイッチ９がオフされた際などにこのチャージ抜き回路４７０のリレースイッチ４７２をオン状態としてメインバンクコンデンサ４３０に蓄積されて電荷を放電させ、保守点検作業などでの危険を防止するようになっている。このリレースイッチ４７２は、フラッシュ電源制御部５Ａによりオンオフ制御される。
【００４７】
ＩＧＢＴ４５０は、ｐｎｐｎ接合されたＳＣＲ（Ｓｉｌｉｃｏｎ  Ｃｏｎｔｒｏｌｌｅｄ  Ｒｅｃｔｉｆｉｅｒ）と、ＭＯＳＦＥＴとを組み合わせた構造を持ち、高電圧、高電流下で動作し、しかも、ターンオン・ターンオフ時間の短い３端子バイポーラＭＯＳ複合半導体スイッチング素子である。このＩＧＢＴ４５０は、フラッシュ電源制御部５Ａが出力する「Ｈ」の信号（発光可能信号）により、オン状態となってフラッシュランプ２の主電極２１，２２間にメインバンクコンデンサ４３０の端子間電圧Ｖｃを印加する。また、ＩＧＢＴ４５０は、フラッシュ電源制御部５Ａが出力する「Ｌ」の信号（発光停止信号）によりオフ状態となって、フラッシュランプ２をメインバンクコンデンサ４３０から切り離すことにより、フラッシュランプ２の主電極２１，２２間に流れる放電電流を遮断し、フラッシュランプ２の発光を停止させる。
【００４８】
トリガー回路４４０は、フラッシュ電源制御部５Ａから出力される発光開始信号に基づいてフラッシュランプ２のトリガー電極２３にトリガー信号を印加するものであって、高抵抗値を有する抵抗４４１と、抵抗４４１を介して充電されるコンデンサ４４２と、１次巻線および２次巻線を有するトリガートランス４４３と、ＳＣＲ４４４とを備える。
【００４９】
コンデンサ４４２は、ＤＣ−ＤＣコンバータ４１０の充電動作時に抵抗４４１を介して充電完了電圧Ｖｃｓ＝８００Ｖまで充電される。コンデンサ４４２の充電電荷は、フラッシュ電源制御部５Ａからの発光開始信号によりＳＣＲ４４４が導通すると、トリガートランス４４３の１次巻線に一挙に流れる。この結果、その２次巻線に高圧電流が発生し、フラッシュランプ２のトリガー電極２３に供給される。
【００５０】
トリガー電極２３に高圧電流が印加されると、ランプ内のキセノンガスが活性化されるため、主電極２１，２２間に電流が流れやすくなる。この一方、ＳＣＲ４４４が導通状態になる前にＩＧＢＴ４５０がオン状態とされている。このため、メインバンクコンデンサ４３０の電圧はフラッシュランプ２の主電極２１，２２間に印加され、発光放電が開始される。
【００５１】
なお、コンデンサ４４２の充電抵抗４４１の抵抗値はＳＣＲ４４４のターンオンを維持できる保持電流を下回るように設定されているため、コンデンサ４４２の電荷が放電された後はオフ状態となり、再び次の発光動作に備えてコンデンサ４４２の充電が開始される。
フラッシュランプ２に印加される電圧は８００Ｖであるが、フラッシュランプ２の放電開始電圧がメインバンクコンデンサ４３０の充電電圧を上回る場合には、ランプの主電極２１，２２に印可する電圧を付加回路４９０により一時的に高めてから、放電を開始させる方法が考えられる。付加回路４９０の電流供給能力はメインバンクコンデンサ４３０に比較して非常に微少であるため、フラッシュランプ２に印可される電圧は一時的に高められるが、放電が開始されるとすぐに電流が供給できなくなり、電圧はメインバンクコンデンサ４３０の電圧まで低下するため、発光開始時のピーク電流とピーク時間は低く抑えられる。
【００５２】
次に、フラッシュ電源制御部５Ａの構成を説明する。
フラッシュ電源制御部５Ａは、ＣＰＵ５１と、このＣＰＵ５１に接続されるタイマ５２、表示部５３、ＲＯＭ５４、ＲＡＭ５５、比較器５６などからなる。
タイマ５２は、ＣＰＵ５１の指示に従って種々の時間を計測する。
表示部５３は、ＣＰＵ５１の指示に従ってユーザに通知するための種々の情報を表示する。
【００５３】
ＲＯＭ５４は、フラッシュランプ２を発光制御するためのプログラムや、フラッシュランプ２の劣化、メインバンクコンデンサ４３０の劣化などを調べるためのプログラムなどの他、フラッシュランプ２に供給する発光エネルギーを管理するための発光エネルギー管理テーブル５４１、発光エネルギー倍率テーブル５４２を予め記憶している。
【００５４】
図３（ａ）は、ＲＯＭ５４に格納された発光エネルギー管理テーブル５４１の内容の一例を示す図である。
この発光エネルギー管理テーブル５４１は、１枚の用紙Ｓに対して形成される画像を構成する全体の画素数と、その中で実際にトナーが付着される画素数との割合を表す白黒比（以下、「Ｂ／Ｗ」と記す。）情報と、トナーが付着された画素の印字濃度（Ｉｍａｇｅ  Ｄｅｎｓｉｔｙ、以下、「ＩＤ」と記す。）情報と、１回の発光の際にフラッシュランプ２に供給する発光エネルギーとの関係を表している。この発光エネルギー管理テーブル５４１は、黒トナー用のものであって、例えばＢ／Ｗが１〜６％、ＩＤが０．８である場合、この黒トナーを定着するためにフラッシュランプ２の１回の発光に必要な発光エネルギーは３９２Ｊであることを表している。
【００５５】
図３（ｂ）は、発光エネルギー倍率テーブル５４２の内容の一例を示す図である。
この発光エネルギー倍率テーブル５４２は、１枚の用紙Ｓに対して形成される画像のトナーの色と、トナーの色が黒である場合を基準の「１」として、トナーの色が青、緑、赤である場合に基準に対して１回の発光の際にフラッシュランプ２に供給する発光エネルギーの倍率を表している。例えばＢ／Ｗが１〜６％、ＩＤが０．８である赤トナーを定着する場合、フラッシュランプ２の１回の発光に必要な発光エネルギーは３９２Ｊの２倍、すなわち７８４Ｊであることを表している。ここで、この実施の形態１では、カラートナーの場合には上記したように定着幅を狭めることにより、単位面積当たりのエネルギー密度を２倍に上げるようになっている。したがって、この発光エネルギー倍率テーブル５４２は、リニア・ステッピング・アクチュエータ７に指示する定着幅情報を決定する際や、フラッシュランプ２の発光周期を決定する際に参照され、定着幅の縮小倍率、発光周期の倍率決定用のテーブルとして用いられるようになっている。
【００５６】
ＲＡＭ５５は、上記プログラム実行時におけるワークエリアを提供し、画像形成部１０から受信したＢ／Ｗ情報５５１、ＩＤ情報５５２、トナー色情報５５３の他、これらＢ／Ｗ情報５５１、ＩＤ情報５５２、トナー色情報５５３に基づい上記発光エネルギー管理テーブル５４１、発光エネルギー倍率テーブル５４２を参照して得られた発光エネルギー決定値５５４などを格納する。
【００５７】
ここで、定着エネルギー決定値は次のようにして取得される。
上記した例のようにＢ／Ｗが１〜６％、ＩＤが０．８の黒トナーを定着する場合、フラッシュランプ２の１回の発光に必要な発光エネルギーは３９２Ｊである。この場合の定着エネルギー決定値は、３９２Ｊとなる。この一方、発光エネルギーＥと、端子間電圧Ｖｃとは、上記式（１）の関係にある。この場合、メインバンクコンデンサ４３０の端子間電圧Ｖｃは、図４に示すように、発光エネルギーＥが増えるにつれて充電完了電圧Ｖｃｓから低下していく。このため、メインバンクコンデンサ４３０の端子間電圧Ｖｃが充電完了電圧Ｖｃｓからどのぐらいまで低下したかを監視し、所定の放電停止電圧Ｖｃｅまで低下した時点でフラッシュランプ２の発光を停止させることにより、温度特性の変化や、経時変化などでフラッシュランプ２のインピーダンスが変化したとしても、フラッシュランプ２の発光エネルギーを一定に管理することができる。そこで、この実施の形態１では、放電停止電圧Ｖｃｅを式（１）からＶｃｅ≒７１７［Ｖ］に決定し、このＶｃｅと同じ値の電圧Ｖｅが比較器５６に設定することにより、メインバンクコンデンサ４３０の放電停止電圧Ｖｃｅに低下したとき、ＩＧＢＴ４５０をオフ状態にして放電電流を遮断し、フラッシュランプ２の発光を停止させ、発光エネルギーを管理するようになっている。
【００５８】
比較器５６は、ヒステリシス特性を有し、非反転入力に印加される端子間電圧Ｖｃを下側トリップポイントとし、充電完了電圧Ｖｃｓ付近の電圧を上側トリップポイントとし、これらの下側トリップポイント、上側トリップポイントと、反転入力に印加されるＣＰＵ５１により指示された定着エネルギー決定値を表す電圧Ｖｅとを比較する。より具体的には、電圧検出回路４６０により検出されたメインバンクコンデンサ４３０の端子間電圧Ｖｃが下降する際には、下側トリップポイントである端子間電圧Ｖｃと、電圧Ｖｅとを比較し、この端子間電圧Ｖｃが電圧Ｖｅ未満になると「Ｌ」（発光停止信号）を出力し、ＩＧＢＴ４５０をオフ状態にする。これに対して、端子間電圧Ｖｃが上昇する際には、この端子間電圧Ｖｃが上側トリップポイントである充電完了電圧Ｖｃｓ近傍になると「Ｈ」（発光可能信号）を出力し、ＩＧＢＴ４５０をオン状態にする。このＩＧＢＴ４５０がオフ状態からオン状態となるまでには１００ミリ秒程度かかるので、この間にフラッシュランプ２のガスの活性化が収まる。したがって、ＩＧＢＴ４５０をオン状態になっても再度トリガー電極２３にトリガー信号が印加されない限り、フラッシュランプ２が続流により発光することはない。
【００５９】
ＣＰＵ５１は、電圧検出回路４６０の端子間電圧Ｖｃや、温度検出器４８０の検出温度、比較器５６の出力をモニタするとともにリレースイッチ４０２，４０４，４７２をオンオフ制御する一方、上記プログラムや管理テーブルに従って発光エネルギー決定値を算出し、この決定値を表す決定電圧Ｖｅを比較器５６に出力するとともに、リニア・ステッピング・アクチュエータ７に定着幅情報を出力し、所定のタイミングでＤＣ−ＤＣコンバータ４１０に充電／充電停止を指示し、トリガー回路４４０に発光開始信号を出力することにより、円滑な定着制御を実行する。
【００６０】
次いで、ＣＰＵ５１による定着処理をフローチャートに基づいて説明する。
なお、ＣＰＵ５１は、画像形成部１０のＣＰＵと通信する通信処理などを図示しないメインルーチンで定期的に実行しており、通信処理において画像形成部１０のＣＰＵからＢ／Ｗ情報５５１、ＩＤ情報５５２、トナー色情報５５３を用紙Ｓごとに受信し、ＲＡＭ５５に格納するようになっている。
【００６１】
図５は、ＣＰＵ５１が実行する定着処理を示すフローチャートである。
この定着処理において、ＣＰＵ５１は、まず、ＲＡＭ５５に格納されているＢ／Ｗ情報５５１、ＩＤ情報５５２に基づいて、フラッシュランプ２の１回の発光に必要な発光エネルギーを決定済みか否か判断する（ステップＳ１）。決定済みでなければ（ステップＳ１でＮ）、発光エネルギーを決定してから（ステップＳ２）ステップＳ３に進み、決定済みであれば（ステップＳ１でＹ）、ステップＳ２をスキップしてステップＳ３に進む。
【００６２】
ステップＳ２における発光エネルギーの決定は、発光エネルギー管理テーブル５４１（図３（ａ））を参照し、Ｂ／Ｗ情報５５１、ＩＤ情報５５２に基づいて所望の発光エネルギーを決定し、この発光エネルギーを供給し終わる放電停止電圧Ｖｃｅを式（１）に基づいて取得し、この放電停止電圧Ｖｃｅと同じ値の決定電圧Ｖｅを比較器５６に対して設定することにより行われる。具体的には、上記した例のようにＢ／Ｗが１〜６％、ＩＤが０．８の黒トナーあるいはカラートナーを定着する場合、放電停止電圧Ｖｃｅと同じ値の決定電圧Ｖｅ＝７１７Ｖを比較器５６に設定する。
【００６３】
ステップＳ３では、ＣＰＵ５１は、ＲＡＭ５５に格納されているトナー色情報５５３に基づいて、フラッシュランプ２の１回の発光に必要な発光エネルギーの黒トナーに対する倍率（定着幅、発光周期）を決定済みか否か判断する。決定済みでなければ（ステップＳ３でＮ）、倍率を決定してから（ステップＳ４）ステップＳ５に進み、決定済みであれば（ステップＳ３でＹ）、ステップＳ４をスキップしてステップＳ５に進む。
【００６４】
ステップＳ４における倍率（定着幅、発光周期）の決定は、具体的には、黒トナーの場合には定着幅をＷＫ＝５０ｍｍに、フラッシュランプ２の発光周期を０．５秒（２Ｈｚ）に設定し、カラートナーの場合には定着幅をＷＲ＝２５ｍｍに、フラッシュランプ２の発光周期を０．２５秒（４Ｈｚ）に設定することより行われる。
【００６５】
ステップＳ５では、ＣＰＵ５１は、ＤＣ−ＤＣコンバータ４１０に対して充電指示を出力する。ＤＣ−ＤＣコンバータ４１０は、この充電指示を受け、ブリッジダイオード４０５から整流電流の供給を受け、メインバンクコンデンサ４３０を充電する。これにより、メインバンクコンデンサ４３０の端子間電圧Ｖｃが上昇する。このとき、トリガー回路４４０のコンデンサ４４２もメインバンクコンデンサ４３０とともに充電される。
【００６６】
充電指示を出力すると、ＣＰＵ５１は、電圧検出回路４６０の出力をモニタすることによりメインバンクコンデンサ４３０の端子間電圧Ｖｃが充電完了電圧（Ｖｃｓ＝８００Ｖ）に達したか否か判断する（ステップＳ６）。充電完了電圧Ｖｃｓに達していなければ（ステップＳ６でＮ）、ＣＰＵ５１は、メインバンクコンデンサ４３０の劣化診断処理（ステップＳ７）を実行する。
【００６７】
ここで、メインバンクコンデンサ４３０の充電が行われた場合、メインバンクコンデンサ４３０の容量が正規の容量であれば、その端子間電圧Ｖｃは図６の実線α１で示すように上昇する。これに対して、メインバンクコンデンサ４３０が劣化して容量が低下した場合には、その端子間電圧Ｖｃは図６の点線α２で示すように実線α１より速く上昇する。また、ＤＣ−ＤＣコンバータ４１０などの充電機構に異常が有る場合や、メインバンクコンデンサ４３０が短絡した場合には、その端子間電圧Ｖｃは図６の一点鎖線α３で示すように実線α１より上昇が遅い。
【００６８】
したがって、ＣＰＵ５１は、充電開始時間ｔ１から所定時間経過した時間ｔ２に端子間電圧Ｖｃをモニタし、端子間電圧Ｖｃが規定の電圧Ｖｃ１であれば、メインバンクコンデンサ４３０が正常であると判断し、ステップＳ８に進む。これに対して、端子間電圧Ｖｃが規定の電圧Ｖｃ１よりも高いＶｃ２であれば、メインバンクコンデンサ４３０の容量が低下したと判断して、定着処理を中止し、その旨を表示部５３に表示することによりユーザーに通知する。また、端子間電圧Ｖｃが規定の電圧Ｖｃ１よりも低いＶｃ３であれば、充電機構に異常が有るか、メインバンクコンデンサ４３０が短絡しているものと判断し、定着処理を中止し、その旨を表示部５３に表示することによりユーザーに通知する。
【００６９】
また、メインバンクコンデンサ４３０が劣化した場合には、漏れ電流が増大し、メインバンクコンデンサ４３０の温度が上昇する。このため、ＣＰＵ５１は、温度検出器４８０によりメインバンクコンデンサ４３０の温度をモニタし、規定温度より上昇した場合には、メインバンクコンデンサ４３０が劣化したと判断し、定着処理を中止し、その旨を表示部５３に表示することによりユーザーに通知する。なお、メインバンクコンデンサ４３０の温度が上昇した場合には、この昇温のためメインバンクコンデンサ４３０が膨張する。このため、メインバンクコンデンサ４３０に圧力センサを取着し、この圧力センサでメインバンクコンデンサ４３０の膨張をモニタするようにしてもよい。
【００７０】
メインバンクコンデンサ４３０が正常である場合に実行されるステップＳ８では、ＣＰＵ５１は、比較器５６の出力をモニタすることにより比較器５６の出力が「Ｌ」→「Ｈ」になるのを確認（ステップＳ８）し、ステップＳ６に戻りＶｃ＝Ｖｃｓになるのを待つ。なお、比較器５６は、端子間電圧Ｖｃ＝充電完了電圧Ｖｃｓになる少し前に「Ｌ」→「Ｈ」を出力し、ＩＧＢＴ４５０がオン状態とされる。
【００７１】
メインバンクコンデンサ４３０の端子間電圧Ｖｃが充電完了電圧Ｖｃｓ＝８００Ｖに達すると（ステップＳ６でＹ）、ＣＰＵ５１は、ＤＣ−ＤＣコンバータ４１０に対して給電停止を指示する（ステップＳ９）。これにより、ＤＣ−ＤＣコンバータ４１０は、メインバンクコンデンサ４３０への充電動作を停止する。
充電停止を指示た後、ＣＰＵ５１は、タイマ５２をみて１発光周期における発光タイミングになるのを待ち（ステップＳ１０）、発光タイミングの時間ｔ３になるとトリガー回路４４０のＳＣＲ４４４に対して発光開始信号を出力する（ステップＳ１１）。これにより、ＳＣＲ４４４が導通し、フラッシュランプ２のトリガー電極２３にトリガー信号が入力される。したがって、フラッシュランプ２は、発光を開始し、メインバンクコンデンサ４３０に貯えられた静電エネルギーの供給を受け、ほぼ一定の放電電流に比例した光エネルギーを発生する。
【００７２】
発光開始信号を出力した後、ＣＰＵ５１は、タイマ５２をみて端子間電圧Ｖｃ＝決定電圧Ｖｅとなるタイミングになるのを待ち（ステップＳ１２）、端子間電圧Ｖｃ＝決定電圧Ｖｅとなるタイミングの時間になると、フラッシュランプ２の劣化診断処理（ステップＳ１３）を実行する。
ここで、フラッシュランプ２の発光が行われた場合、フラッシュランプ２のインピーダンスが正規のインピーダンスであれば、その値が小さいので、メインバンクコンデンサ４３０の端子間電圧Ｖｃは図７の実線β１で示すように低下し、時間ｔ４に端子間電圧Ｖｃ＝決定電圧Ｖｅとなる。これに対して、フラッシュランプ２が劣化してインピーダンスが上昇した場合には、その端子間電圧Ｖｃは図７の点線β２で示すように実線β１より遅く低下し、時間ｔ４より遅い時間ｔ４１に端子間電圧Ｖｃ＝決定電圧Ｖｅとなる。この場合、両方とも端子間電圧Ｖｃ＝決定電圧Ｖｅになると比較器５６の出力が「Ｈ」→「Ｌ」となり、ＩＧＢＴ４５０がオフ状態となり、フラッシュランプ２の発光が停止されるものの、フラッシュランプ２が劣化すると、正常な発光エネルギーの管理ができなくなるおそれがある。
【００７３】
したがって、ＣＰＵ５１は、放電開始の時間ｔ３から端子間電圧Ｖｃ＝決定電圧Ｖｅとなるまでの時間、すなわち決定した発光エネルギーを放出するのに要する時間をモニタし、その時間が規定の時間Ｔ１であれば、フラッシュランプ２が正常であると判断し、ステップＳ１４に進む。これに対して、その時間が既定値Ｔ１より長い時間Ｔ２であれば、フラッシュランプ２が劣化したと判断して、定着処理を中止し、その旨を表示部５３に表示することによりユーザーに通知する。
【００７４】
なお、図７に示す劣化診断処理処理では決定した発光エネルギーを放出するのに要する時間でフラッシュランプ２の劣化を判断するようにしたが、これに代えて、図８に示すように、端子間電圧Ｖｃ＝決定電圧Ｖｅとなる前の時間ｔ５に端子間電圧Ｖｃをモニタし、この時間ｔ５における端子間電圧Ｖｃが既定値のＶｃ１であればフラッシュランプ２が正常と判断し、端子間電圧Ｖｃが既定値Ｖｃ１を超える電圧Ｖｃ２であればフラッシュランプ２が劣化したと判断するようにしてもよい。この場合の劣化診断処理はステップＳ１２の繰り返しの際に実行すればよい。
【００７５】
フラッシュランプ２の劣化診断処理が終わると、ＣＰＵ５１は、フラッシュランプ２の発光診断処理（ステップＳ１４）を実行する。
ステップＳ１４の発光診断処理を図９を用いて説明する。
図９は、フラッシュランプ２の発光期間におけるメインバンクコンデンサ４３０の充電電圧の変化を示す図である。なお、同図において時間ｔ３はトリガー回路４４０に対して発光信号を出力する発光開始時間を、時間ｔ４は比較器５６が発光停止信号「Ｌ」を出力する時間を、時間ｔ５は発光停止時間ｔ４の後に電圧検出回路４６０により端子間電圧Ｖｃをモニタする判定時間を示している。
【００７６】
ここで、フラッシュランプ２の発光が行われた場合、メインバンクコンデンサ４３０の端子間電圧Ｖｃは図９の実線γ１で示すように低下し、時間ｔ４に端子間電圧Ｖｃ＝放電停止電圧Ｖｃｅ（Ｖｅ）となり、その後充電が開始されるまでこの放電停止電圧Ｖｃｅ（Ｖｅ）を維持する。これに対して、トリガー回路４４０に対して発光信号を出力しても、トリガー回路４４０から出力されるトリガー信号が弱かったりしたような場合には、フラッシュランプ２に放電電流が全く流れずに発光することもない。この場合には、端子間電圧Ｖｃは図９の点線γ２で示すように、充電完了電圧Ｖｃｓに近い電圧を維持する。また、比較器５６が発光停止信号を出力しても、ＩＧＢＴ４５０がショートしてしまったような場合には、フラッシュランプ２の放電電流が遮断されず、メインバンクコンデンサ４３０の静電エネルギーを使い切るまでフラッシュランプ２が発光する。この場合には、発光エネルギーの過剰となり、端子間電圧Ｖｃは図９の点線γ３で示すように、放電停止電圧Ｖｃｅよりさらに低下する。
【００７７】
したがって、ＣＰＵ５１は、時間ｔ５に端子間電圧Ｖｃをモニタし、端子間電圧Ｖｃ＝放電停止電圧Ｖｃｅであれば、フラッシュランプ２が正常に発光されたと判断し、メインルーチンにリターンする。これに対して、端子間電圧Ｖｃが充電完了電圧Ｖｃｓとほぼ等しい場合や、放電停止電圧Ｖｃｅより大幅に低い場合には、フラッシュランプ２の発光ミスあるいはＩＧＢＴ４５０の故障と判断し、定着処理を中止し、その旨を表示部５３に表示することによりユーザに通知する。
【００７８】
図１０は、上記ステップＳ１〜Ｓ１４の定着処理を実行した場合におけるメインバンクコンデンサ４３０の端子間電圧Ｖｃの時間的変化を、黒トナーのときとカラートナーのときとを比較して示す図である。なお、図１０（ａ）は黒トナーの場合を、図１０（ｂ）はカラートナーの場合（黒トナーが重ね合わされている場合を含む）を示している。
【００７９】
黒トナーの場合と、カラートナーの場合の両方とも、用紙Ｓは同じシステムスピード（１００ｍｍ／秒）で搬送され、発光エネルギーは同じ４００Ｊである。この一方、黒トナーの場合には、定着幅はＷＫ＝５０ｍｍ、メインバンクコンデンサ４３０の充電・放電、フラッシュランプ２の発光の周期は、０．５秒（２Ｈｚ）で行われ、カラーの場合には、定着幅はＷＲ＝２５ｍｍ、メインバンクコンデンサ４３０の充電・放電、フラッシュランプ２の発光の周期は、０．２５秒（４Ｈｚ）で行われる。このため、発光エネルギーは、１秒間では、４００Ｊ×２Ｈｚ＝８００Ｗが黒トナーに、４００Ｊ×４Ｈｚ＝１６００Ｗがカラートナーに、間欠的に供給される。
【００８０】
図１１は、上記放電の際に流れるフラッシュランプ２の放電電流の時間変化を示す図である。
なお、図１１中に示すε１はトリガー信号のパルス幅の期間を示し、ε２は定電流の領域を示している。
同図に示すように、実施の形態１に係るフラッシュ定着装置１では、トリガー用コンデンサ４４２の容量が小さいので、トリガー信号のパルス幅、ピーク値も小さい。また、メインバンクコンデンサ４３０の容量が６２５０μＦと大きく、充電完了電圧Ｖｃｓが８００Ｖと低く、放電停止電圧Ｖｃｅが７１６Ｖと高くし、定着に必要な発光エネルギーを消費した時点で放電電流をカットするようにしている。また、この充電完了電圧Ｖｃｓ＝８００Ｖ、放電停止電圧Ｖｃｅ＝７１６Ｖは、フラッシュランプ２の定電流駆動領域の範囲に入っている。この結果、トリガー信号に起因するピーク電流が流れる期間を僅かな時間に抑えることができ（ε１参照）、しかもそのピーク値も１８０Ａ程度のトナー昇華がほとんど発生しない値に抑えることができる。また、トリガー信号のパルス幅経過後には、定着に必要な発光エネルギーを消費するまでの間中、ピーク値よりも低い放電電流１２０Ａを安定してフラットに流すことができる。なお、本実施の形態１の定電流値が従来より低いのは、ＩＧＢＴ４５０の動作抵抗により、抑制されたものである。したがって、従来と同じ発光エネルギーであっても、この光エネルギーは、黒トナー、カラートナーの両方ともにその表面で、従来よりも低い値で、かつ従来よりも長い間、熱エネルギーに変換される。このため、黒トナーでは表面温度がゆっくりと上昇し、結着剤が昇華することなく表面から溶融し始めるとともに、その熱エネルギーがその内部まで効率よく伝達され、カラートナーでは赤外線吸収剤含有量が従来方式の約５0％程度に低減されているにも拘わらず、反応時間が十分に確保されて赤外線吸収剤が効率よく反応し、その熱エネルギーがその内部まで効率よく伝達され、全体的に溶融され用紙Ｓの表面繊維に浸透する。メインバンクコンデンサ４３０の放電が停止すると、フラッシュランプ２からの光エネルギーの照射が止まり、トナーに蓄積された熱エネルギーが空気中に放射されるため、トナーの温度が低下し、用紙Ｓに浸透した状態で固まり、確実に定着される。したがって、トナーの昇華や、昇華による騒音の発生を大幅に抑制して、トナーを定着させることができる。また、カラートナーと黒トナーとが重ね合わされているような場合であっても、黒トナー全体がゆっくりと均一に加熱されるので、過剰なエネルギーであっても昇華温度に達することもない。
【００８１】
ここで、従来方式のフラッシュ定着装置と、本発明による新方式フラッシュ定着装置の昇華時の粉塵の発生量を実際に測定した結果、従来方式では、１．０５４ｍｇ／m3  、新方式では、０．０９５ｍｇ／m3  であった。したがって、この実施の形態１によれば、昇華時の粉塵の発生量を従来の約１／１０にまで抑制できることが確認できた。
【００８２】
また、従来方式のフラッシュ定着装置と、本発明による新方式フラッシュ定着装置のプリンタ作動音を実際に計測した結果、従来方式では最大６６．４ｄＢ（Ａ）であった作動音が、新方式では６２．６ｄＢ（Ａ）であった。したがって、この実施の形態１によれば、昇華に起因する騒音を従来より３．８ｄＢ（Ａ）低減できることが確認できた。
【００８３】
また、実施の形態１によれば、フラッシュランプ２の放電電流がほぼフラットになるので、フラッシュランプ２の主電極２１，２２間の電圧変化が小さくなり、メインバンクコンデンサ４３０の電圧変化も小さくなる。したがって、フラッシュランプ２およびメインバンクコンデンサ４３０の長寿命化を図ることができるという別の効果もある。
【００８４】
なお、上記実施の形態１では、発光エネルギー管理テーブル５４１（図３（ａ））を参照し、Ｂ／Ｗ情報５５１、ＩＤ情報５５２に基づいて所望の発光エネルギーを決定し、この発光エネルギーを供給し終わる放電停止電圧Ｖｃｅを式（１）に基づいて取得し、この放電停止電圧Ｖｃｅと同じ値の決定電圧Ｖｅを比較器５６に対して設定するようにしていたが、この変形例として、この放電停止電圧Ｖｃｅと同じ値の決定電圧Ｖｅを取得し、電圧検出回路４６０により端子間電圧Ｖｃをモニタし、端子間電圧Ｖｃ＝決定電圧Ｖｅになったときに、ＣＰＵ５１が直接ＩＧＢＴ４５０をオフ状態とし、発光エネルギーを管理するようにしてもよい。
【００８５】
（実施の形態２）
上記実施の形態１では、決定電圧Ｖｅで発光エネルギーを管理するようにした。この場合、上記したようにフラッシュランプ２の放電期間中にはほぼ一定の放電電流が流れるので、発光エネルギーと発光時間とが正比例の関係にある。したがって、フラッシュランプ２の発光時間で発光エネルギーを管理するようにしてもよい。この場合には、ＲＯＭ５４の発光エネルギー管理テーブル５４１に代えて図１２に示す発光時間管理テーブル５４３を用いればよい。
【００８６】
図１２は、ＲＯＭ５４に格納された発光時間管理テーブル５４３の内容の一例を示す図である。
この発光時間管理テーブル５４３は、Ｂ／Ｗ情報と、ＩＤ情報と、１回の発光の際にフラッシュランプ２を発光させる発光時間との関係を表している。例えばＢ／Ｗが１〜６％、ＩＤが０．８である場合、この黒トナーを定着するためにフラッシュランプ２の１回の発光に必要な発光開始から発光停止までの発光時間は３．５ｍｓｅｃであることを表している。
【００８７】
この発光時間管理テーブル５４３を用いる場合には、ＣＰＵ５１は、フラッシュランプ２の発光開始時にタイマ５２の計時を開始させ、発光時間管理テーブル５４３で取得した発光時間が経過すると、ＩＧＢＴ４５０を直接オフ状態とすればよい。この実施の形態２によっても、定着しようとする画像のトナー量（Ｂ／Ｗ情報、ＩＤ情報）から、発光時間管理テーブル５４３により最適な発光時間を選択することができ、トナーの昇華や、昇華による騒音の発生を大幅に抑制して、トナーを定着させることができる。
【００８８】
（実施の形態３）
図１３は、本発明の実施の形態３に係るフラッシュ電源部４Ａ、フラッシュ電源制御部５Ｂおよびこの付近の構成を示すブロック回路図である。なお、実施の形態１の構成部分と対応する部分に同一番号を付し、その説明を省略する。
上記実施の形態１のフラッシュ電源制御部５Ａでは、比較器５６の出力をＩＧＢＴ４５０に入力していた。この場合、フラッシュランプ２に流れる放電電流の値は、そのインピーダンス特性や、メインバンクコンデンサ４３０の充電電圧によって、一義的に決まってしまう。このため、放電電流の値を任意に変えるような柔軟な制御ができなかった。
【００８９】
そこで、この実施の形態３のフラッシュ電源制御部５Ｂでは、ＣＰＵ５１の指示に従って、所定の周波数のパルス信号（例えば、１００ｋＨｚ、デューティ比５０％のパルス信号）を出力するパルスジェネレータ５７と、上記比較器５６の出力と、パルスジェネレータ５７の出力との論理積を取り、比較器５６の出力がＨの間だけパルスジェネレータ５７の出力をＩＧＢＴ４５０に通過させるＡＮＤゲート５８とを備えるようになっている。
【００９０】
比較器５６は、上記したようにメインバンクコンデンサ４３０の端子間電圧Ｖｃが上側トリップポイントである充電完了電圧Ｖｃｓ近傍になると「Ｈ」（発光可能信号）を出力する。これにより、パルスジェネレータ５７のパルス信号が通過され、ＩＧＢＴ４５０がオン状態と、オフ状態とに高速に切り換えられる。そして、メインバンクコンデンサ４３０の充電電圧が充電完了電圧に達した状態で発光開始信号がトリガー回路４４０に与えられると、フラッシュランプ２が発光を開始する。この場合にＩＧＢＴ４５０が高速にオンオフしているので、フラッシュランプ２に流れる放電電流は、図１４に示すように高速にスイッチングされ、ＩＧＢＴ４５０のオン時に瞬時的に発光する。なお、フラッシュランプ２は、一旦発光すると、内部ガスがしばらくの間活性化されているので、再度トリガーしなくともＩＧＢＴ４５０をオン状態とするだけで瞬時的に発光する。また、所望の発光エネルギーの放電電流がフラッシュランプ２に流れると、メインバンクコンデンサ４３０の充電電圧が決定電圧Ｖｅまで低下するので、比較器５６が「Ｌ」を出力する。この結果、ＩＧＢＴ４５０がオフ状態となり、フラッシュランプ２の発光が停止される。
【００９１】
このように、フラッシュランプ２の発光期間中、放電電流が高速にスイッチングされると、トリガーパルスのパルス幅も擬似的に短くなり、また、放電電流も平均値化される。したがって、フラッシュランプ２の特性やメインバンクコンデンサ４３０の充電電圧への依存性が少なくなり、実施の形態１の場合に比較して、放電電流（平均値）を半分に、発光時間を２倍に、単位時間当たりの放電エネルギーを半分に制御することができ、制御の自由度を大幅に向上させることができる。
【００９２】
また、上記実施の形態３では、デューティ比を５０％固定としたが、パルスジェネレータ５７に対してＣＰＵ５１から５０％と異なる任意のデューティ比を指示し、パルスジェネレータ５７から指示された任意のデューティ比のパルス信号を出力するようにしてもよい。そうすると、フラッシュランプ２の放電電流（平均値）をデューティ比に応じて自由に変更することができ、さらに制御の自由度を大幅に向上させることができる。
【００９３】
（実施の形態４）
上記実施の形態３では、パルス制御で放電電流をスイッチングするようにしているものの、決定電圧Ｖｅで発光エネルギーを管理するようにした。この場合、スイッチングパルスのデューティ比が例えば５０％であると、フラッシュランプ２の放電期間中にはほぼ一定の放電電流（平均値）が流れるので、発光エネルギーと発光回数とが正比例の関係にある。したがって、フラッシュランプ２の発光回数で発光エネルギーを管理するようにしてもよい。この場合には、ＲＯＭ５４の発光エネルギー管理テーブル５４１に代えて図１５に示す発光回数管理テーブル５４４を用いればよい。
【００９４】
図１４は、ＲＯＭ５４に格納された発光回数管理テーブル５４４の内容の一例を示す図である。
この発光回数管理テーブル５４４は、Ｂ／Ｗ情報と、ＩＤ情報と、１回の発光の際にフラッシュランプ２を発光させる発光回数との関係を表している。例えばＢ／Ｗが１〜６％、ＩＤが０．８である場合、この黒トナーを定着するためにフラッシュランプ２の１回の発光に必要な発光回数は２５０回であることを表している。
【００９５】
この発光回数管理テーブル５４４を用いる場合には、ＲＡＭ５５にカウンタ領域を設け、ＣＰＵ５１は、フラッシュランプ２の発光開始時にカウンタに「２５０回」をセットし、パルスジェネレータ５７からパルスが出力されるごとに上記カウタのカウント値を１ずつ減算し、そのカウント値が「０」となると、ＩＧＢＴ４５０を直接オフ状態とすればよい。この実施の形態４によっても、定着しようとする画像のトナー量（Ｂ／Ｗ情報、ＩＤ情報）から、発光時間管理テーブル５４３により最適な発光時間を選択することができ、トナーの昇華や、昇華による騒音の発生を大幅に抑制して、トナーを定着させることができる。
【００９６】
（変形例）
以上、本発明に係るフラッシュ定着装置を実施の形態に基づいて説明してきたが、本発明の内容が、上述の実施の形態に限定されないのは勿論であり、以下のような変形例が考えられる。
なお、上記実施の形態１〜４では、カラートナーの場合には定着幅ＷＲを一律に２５ｍｍにしたが、青トナーの場合にはその定着幅を４２ｍｍに、緑トナーの場合にはその定着幅を３８ｍｍにしてもよい。この場合には、フラッシュランプ２の発光周期をこの定着幅にあわせて決定すればよい。
【００９７】
また、上記実施の形態１〜４では、黒トナーの場合とカラートナーの場合とで定着幅、発光周期を変えるようにしたが、定着幅と、発光周期とを変えるようにしたが、カラートナーの場合、定着幅と発光周期と黒トナーの場合と同一にし、発光エネルギーを２倍にしてもよい。この場合には、メインバンクコンデンサ４３０の容量を２倍にすればよい。
【００９８】
また、上記実施の形態１〜４では、カラートナーとして青、緑、赤のトナーを用いたが、イエロー、シアン、マゼンタなどの他の色のトナーで実施してもよい。
また、上記実施の形態１〜４では、黒トナーにその定着に単位面積当たりの発光エネルギーが１．９Ｊ／ｃｍ2   程度必要とするのものを用いたが、これと異なる値の黒トナーを用いてもよい。この場合には、その値に応じて発光エネルギーや、定着幅、発光周期を決定すればよい。また、カラートナーに赤外線含有率が１〜２％のものを用いたが、これと異なる値の含有率のカラートナーを用いてもよい。この場合にも、その含有率に応じて発光エネルギーや、定着幅、発光周期を決定すればよい。
【００９９】
また、上記実施の形態１〜４では、ＩＧＢＴ４５０を用いたが、これに代えてＦＥＴなどのスイッチング素子を用いてもよい。
さらに、上記実施の形態では、レーザプリンタに適用したが、本発明に係るフラッシュ定着装置は、デジタル方式の複写機や、ＦＡＸ、マイクロリーダプリントや、これらの複合機などの画像形成装置にも適用できる。
【０１００】
【発明の効果】
以上のように本発明に係るフラッシュ定着装置によれば、前記フラッシュ電源部は、フラッシュランプに流れる放電電流が、発光期間中、ほぼ平坦となるように給電し、前記現像剤を表面から徐々に加熱する。したがって、現像剤の昇華やこの昇華に起因する騒音を大幅に抑制することができる。
【０１０１】
また、第１の定着制御手段と、トナーの属性の違いに応じて第１の定着手段と異なる条件で定着する第２の定着制御手段と、第１および第２の定着制御手段を切り換える切換制御手段とを備えるので、黒色の現像剤の場合には第１の定着手段に切り換えてこの現像剤を定着し、カラー色の現像剤の場合には第２の定着手段に切り換えてこの現像剤を定着する制御が可能となる。したがって、カラー現像剤コストをアップすることなく、定着特性を向上させることができる。
【図面の簡単な説明】
【図１】実施の形態１に係るフラッシュ定着装置１およびこの付近の構成を示す図である。
【図２】図１に示すフラッシュ電源部４Ａ、フラッシュ電源制御部５Ａおよびこの付近の回路構成を示すブロック図である。
【図３】ＲＯＭ５４に格納された発光エネルギー管理テーブル５４１および発光エネルギー倍率テーブル５４２の内容の一例を示す図である。
【図４】メインバンクコンデンサ４３０の端子間電圧Ｖｃと発光エネルギーＥとの関係を示す図である。
【図５】ＣＰＵ５１が実行する定着処理を示すフローチャートである。
【図６】メインバンクコンデンサ４３０の充電の際の端子間電圧Ｖｃの時間的変化を示す図である。
【図７】フラッシュランプ２の劣化を時間により判定する処理を説明するための図である。
【図８】フラッシュランプ２の劣化を電圧により判定する処理を説明するための図である。
【図９】発光期間中におけるフラッシュランプの発光エネルギーが正常であるか否かを確認する処理を説明するための図である。
【図１０】メインバンクコンデンサ４３０の端子間電圧Ｖｃの時間的変化を、黒トナーのときとカラートナーのときとを比較して示す図である。
【図１１】フラッシュランプ２に流れる放電電流の時間変化を示す波形図である。
【図１２】ＲＯＭ５４に格納された発光時間管理テーブル５４３の内容の一例を示す図である。
【図１３】本発明の実施の形態３に係るフラッシュ電源部４Ａ、フラッシュ電源制御部５Ｂおよびこの付近の構成を示すブロック回路図である。
【図１４】本発明の実施の形態３に係る放電電流の時間的変化を示す図である。
【図１５】ＲＯＭ５４に格納された発光回数管理テーブル５４４の内容の一例を示す図である。
【図１６】従来のフラッシュ定着装置の回路構成を示すブロック図である。
【図１７】図１６のフラッシュランプに流れる放電電流の時間変化を示す波形図である。
【符号の説明】
１          フラッシュ定着装置
２          フラッシュランプ
３          反射笠
４          フラッシュ電源部４Ａ
５Ａ，５Ｂ  フラッシュ電源制御部
７          リニア・ステッピング・アクチュエータ
５２        タイマ
５３        表示部
４３０      メインバンクコンデンサ
４４０      トリガー回路
４５０      ＩＧＢＴ
４６０      電圧検出回路
Ｓ          用紙
ＴＮ        トナー
【図１】
0003770012.tif 000002
【図２】
0003770012.tif 000003
【図３】
0003770012.tif 000004
【図４】
0003770012.tif 000005
【図５】
0003770012.tif 000006
【図６】
0003770012.tif 000007
【図７】
0003770012.tif 000008
【図８】
0003770012.tif 000009
【図９】
0003770012.tif 000010
【図１０】
0003770012.tif 000011
【図１１】
0003770012.tif 000012
【図１２】
0003770012.tif 000013
【図１３】
0003770012.tif 000014
【図１４】
0003770012.tif 000015
【図１５】
0003770012.tif 000016
【図１６】
0003770012.tif 000017
【図１７】
0003770012.tif 000018